(57)【要約】【課題】中継装置を介して映像出力装置から映像表示装置へ映像信号が伝送されているときに、停電等によって中継装置への電力供給が停止される場合であっても、映像出力装置から映像表示装置への映像信号の伝送を継続することが可能な映像表示システム、中継装置及びテレビジョン受信機を提供する。【解決手段】携帯端末装置３が出力する映像信号をセットトップボックス１がモニタ装置２へ転送しているときに、セットトップボックス１への電力供給が停止された場合、携帯端末装置３はモニタ装置２と直接接続し、映像信号を直接モニタ装置２へ送信する。また、携帯端末装置３がモニタ装置２と直接接続しているときに、セットトップボックス１への電力供給が再開された場合、携帯端末装置３は、モニタ装置２との直接接続を終了し、セットトップボックス１を介したモニタ装置２への映像信号の送信処理を再開する。【選択図】図１
2013198002.tif 000002
【特許請求の範囲】
【請求項１】
映像信号を出力する映像出力装置と、取得した映像信号に基づいて映像を表示する映像表示装置と、前記映像出力装置から出力された映像信号を前記映像表示装置へ転送する中継装置とを備える映像表示システムにおいて、
前記中継装置は、外部から供給される電力によって動作するようにしてあり、
外部からの電力供給の停止を検知する検知部と、
該検知部が電力供給の停止を検知した場合、所定の第１信号を前記映像出力装置及び前記映像表示装置へ送出する信号送出部とを有し、
前記映像出力装置は、
前記中継装置から前記第１信号を取得した場合、映像信号を前記映像表示装置へ直接出力する出力部を有し、
前記映像表示装置は、
前記中継装置から前記第１信号を取得した場合、前記映像出力装置が出力する映像信号を直接取得する取得部を有する
ことを特徴とする映像表示システム。
【請求項２】
前記映像出力装置及び前記映像表示装置は、バッテリを有し、該バッテリから供給される電力によって動作するようにしてあることを特徴とする請求項１に記載の映像表示システム。
【請求項３】
前記中継装置は、起動後に、電力供給が停止されたときに前記映像出力装置から前記映像表示装置への映像信号の転送を行っていたか否かを判定する判定部を有し、
前記信号送出部は、前記判定部が転送を行っていたと判定した場合、所定の第２信号を前記映像出力装置及び前記映像表示装置の少なくとも一方へ送出するようにしてあり、
前記映像出力装置及び前記映像表示装置は、前記中継装置から前記第２信号を取得した場合、前記中継装置を介した映像信号の送受を再開するようにしてある
ことを特徴とする請求項１又は２に記載の映像表示システム。
【請求項４】
前記映像出力装置及び前記中継装置、前記中継装置及び前記映像表示装置、並びに、前記映像出力装置及び前記映像表示装置は、無線通信にて映像信号を送受するようにしてあることを特徴とする請求項１から３までのいずれかひとつに記載の映像表示システム。
【請求項５】
第１装置から出力された映像信号を第２装置へ転送する中継装置において、
外部から供給される電力によって動作するようにしてあり、
外部からの電力供給の停止を検知する検知部と、
該検知部が電力供給の停止を検知した場合、所定の第１信号を前記第１装置及び第２装置へ送出する信号送出部と
を備えることを特徴とする中継装置。
【請求項６】
起動後に、電力供給が停止されたときに前記第１装置から前記第２装置への映像信号の転送を行っていたか否かを判定する判定部を有し、
前記信号送出部は、前記判定部が転送を行っていたと判定した場合、所定の第２信号を前記第１装置及び第２装置の少なくとも一方へ送出するようにしてある
ことを特徴とする請求項５に記載の中継装置。
【請求項７】
請求項５又は６に記載の中継装置と、
該中継装置にて転送される映像信号に基づいて映像を表示する映像表示装置と
を備えるテレビジョン受信機であって、
前記中継装置は、テレビジョン放送を受信する受信部を有し、
前記映像表示装置は、前記中継装置から前記第１信号を取得した場合、前記第１装置から出力される映像信号を直接取得する取得部を有することを特徴とするテレビジョン受信機。
【請求項８】
請求項６に記載の中継装置と、
該中継装置にて転送される映像信号に基づいて映像を表示する映像表示装置と
を備えるテレビジョン受信機であって、
前記中継装置は、テレビジョン放送を受信する受信部を有し、
前記映像表示装置は、前記中継装置から前記第２信号を取得した場合、前記中継装置にて転送される映像信号の取得を再開するようにしてある
ことを特徴とするテレビジョン受信機。
【請求項９】
テレビジョン放送を受信する受信部と、外部から取得した映像信号に基づく映像、及び前記受信部が受信したテレビジョン放送に基づく映像を表示する映像表示装置とを備えるテレビジョン受信機において、
外部から所定の信号を取得した場合、映像信号を出力する映像出力装置から出力された映像信号を直接取得する取得部を備えることを特徴とするテレビジョン受信機。
【発明の詳細な説明】
【技術分野】
【０００１】
本発明は、映像出力装置から出力される映像信号を中継装置が映像表示装置へ転送する映像表示システム、中継装置及びテレビジョン受信機に関する。
【背景技術】
【０００２】
近年、有線ネットワークを利用してシステムを構築する際の煩雑な配線作業が不要となるという利点から、無線ＬＡＮ（Local Area Network）等の無線ネットワークを利用したシステムが普及している。また無線ネットワークには、携帯端末及びノート型ＰＣ（Personal Computer）等の可搬型の機器だけでなく、テレビジョン受信機及びレコーダー等の据え置き型の機器も接続されつつある。
無線ネットワークを利用した無線通信には、アクセスポイントを介して通信するインフラストラクチャモードと、アクセスポイントを介さずに機器間で直接通信するアドホックモードとがある。即ち、無線ネットワークに接続される機器は、他の機器との間で、アクセスポイントを経由した通信を行うか、又はアクセスポイントを経由せずに直接通信を行う。なお、アクセスポイントを経由した通信が一般的に利用されているが、データの伝送効率を考えた場合、アクセスポイントを経由せずに機器間で直接通信を行う方が有利である。
【０００３】
また特許文献１には、表示装置と映像サーバ装置との間で、アクセスポイント（映像中継装置）を経由する通信と、直接通信とを切り替えて利用する技術が開示されている。具体的には、特許文献１には、有線接続された映像中継装置を介して映像サーバ装置からの映像コンテンツを取得する表示装置が、映像中継装置との有線接続が解除された場合、映像サーバ装置からの映像コンテンツを直接取得する構成が開示されている。
【先行技術文献】
【特許文献】
【０００４】
【特許文献１】特開２００７−１８１０２２号公報
【発明の概要】
【発明が解決しようとする課題】
【０００５】
無線ネットワークに接続される可搬型の機器は、バッテリを備え、バッテリからの電力によって動作する機器が多い。また据え置き型の機器も、バッテリを備え、ＡＣ電源からの電力とバッテリからの電力とが切り替え可能に構成され、停電等によってＡＣ電源からの電力供給が停止した場合に、バッテリからの電力によって動作できる機器もある。一方、アクセスポイントは一般的に常時動作させる必要があることからＡＣ電源からの電力のみによって動作するように構成されている場合が多く、このように構成されたアクセスポイントは、停電時には動作を停止する。
従って、停電等によってＡＣ電源からの電力供給が停止した場合、バッテリを備えた機器は動作可能であるが、アクセスポイントが動作を停止することによって、動作可能な機器間でアクセスポイントを介した通信が行えない。即ち、アクセスポイントを介して機器間で通信が行われているときに、停電等によってアクセスポイントへの電力供給が停止された場合、機器間での通信を継続できないという問題がある。
【０００６】
本発明は、斯かる事情に鑑みてなされたものであって、その目的とするところは、中継装置（アクセスポイント）を介して映像出力装置（映像サーバ装置）から映像表示装置へ映像信号が伝送されているときに、停電等によって中継装置への電力供給が停止される場合であっても、映像出力装置から映像表示装置への映像信号の伝送を継続することが可能な映像表示システム、中継装置及びテレビジョン受信機を提供することにある。
【課題を解決するための手段】
【０００７】
本発明に係る映像表示システムは、映像信号を出力する映像出力装置と、取得した映像信号に基づいて映像を表示する映像表示装置と、前記映像出力装置から出力された映像信号を前記映像表示装置へ転送する中継装置とを備える映像表示システムにおいて、前記中継装置は、外部から供給される電力によって動作するようにしてあり、外部からの電力供給の停止を検知する検知部と、該検知部が電力供給の停止を検知した場合、所定の第１信号を前記映像出力装置及び前記映像表示装置へ送出する信号送出部とを有し、前記映像出力装置は、前記中継装置から前記第１信号を取得した場合、映像信号を前記映像表示装置へ直接出力する出力部を有し、前記映像表示装置は、前記中継装置から前記第１信号を取得した場合、前記映像出力装置が出力する映像信号を直接取得する取得部を有することを特徴とする。
【０００８】
本発明に係る映像表示システムは、前記映像出力装置及び前記映像表示装置は、バッテリを有し、該バッテリから供給される電力によって動作するようにしてあることを特徴とする。
【０００９】
本発明に係る映像表示システムは、前記中継装置は、起動後に、電力供給が停止されたときに前記映像出力装置から前記映像表示装置への映像信号の転送を行っていたか否かを判定する判定部を有し、前記信号送出部は、前記判定部が転送を行っていたと判定した場合、所定の第２信号を前記映像出力装置及び前記映像表示装置の少なくとも一方へ送出するようにしてあり、前記映像出力装置及び前記映像表示装置は、前記中継装置から前記第２信号を取得した場合、前記中継装置を介した映像信号の送受を再開するようにしてあることを特徴とする。
【００１０】
本発明に係る映像表示システムは、前記映像出力装置及び前記中継装置、前記中継装置及び前記映像表示装置、並びに、前記映像出力装置及び前記映像表示装置は、無線通信にて映像信号を送受するようにしてあることを特徴とする。
【００１１】
本発明に係る中継装置は、第１装置から出力された映像信号を第２装置へ転送する中継装置において、外部から供給される電力によって動作するようにしてあり、外部からの電力供給の停止を検知する検知部と、該検知部が電力供給の停止を検知した場合、所定の第１信号を前記第１装置及び第２装置へ送出する信号送出部とを備えることを特徴とする。
【００１２】
本発明に係る中継装置は、起動後に、電力供給が停止されたときに前記第１装置から前記第２装置への映像信号の転送を行っていたか否かを判定する判定部を有し、前記信号送出部は、前記判定部が転送を行っていたと判定した場合、所定の第２信号を前記第１装置及び第２装置の少なくとも一方へ送出するようにしてあることを特徴とする。
【００１３】
本発明に係るテレビジョン受信機は、上述したいずれかの中継装置と、該中継装置にて転送される映像信号に基づいて映像を表示する映像表示装置とを備えるテレビジョン受信機であって、前記中継装置は、テレビジョン放送を受信する受信部を有し、前記映像表示装置は、前記中継装置から前記第１信号を取得した場合、前記第１装置から出力される映像信号を直接取得する取得部を有することを特徴とする。
【００１４】
本発明に係るテレビジョン受信機は、上述した中継装置と、該中継装置にて転送される映像信号に基づいて映像を表示する映像表示装置とを備えるテレビジョン受信機であって、前記中継装置は、テレビジョン放送を受信する受信部を有し、前記映像表示装置は、前記中継装置から前記第２信号を取得した場合、前記中継装置にて転送される映像信号の取得を再開するようにしてあることを特徴とする。
【００１５】
本発明に係るテレビジョン受信機は、テレビジョン放送を受信する受信部と、外部から取得した映像信号に基づく映像、及び前記受信部が受信したテレビジョン放送に基づく映像を表示する映像表示装置とを備えるテレビジョン受信機において、外部から所定の信号を取得した場合、映像信号を出力する映像出力装置から出力された映像信号を直接取得する取得部を備えることを特徴とする。
【００１６】
本発明によれば、映像出力装置から出力された映像信号を中継装置が映像表示装置へ転送する映像表示システムにおいて、中継装置は、外部から供給される電力によって動作する。中継装置は、外部からの電力供給の停止を検知した場合、所定の第１信号を映像出力装置及び映像表示装置へ送出する。所定の第１信号を取得した場合、映像出力装置は、映像信号を映像表示装置へ直接出力し、映像表示装置は、映像出力装置が出力する映像信号を直接取得する。即ち、中継装置への電力供給が停止される場合、中継装置は、動作を停止する前に所定の信号を映像出力装置及び映像表示装置へ送出する。そして、所定の信号を取得した映像出力装置及び映像表示装置は、中継装置を介した映像信号の送受信を終了し、映像信号を直接送受信する通信を開始する。
【００１７】
本発明によれば、映像出力装置及び映像表示装置は、バッテリを有し、バッテリから供給される電力によって動作する。よって、停電等によって中継装置への電力供給が停止され、中継装置が動作を停止した場合であっても、映像出力装置及び映像表示装置は、動作可能であり、映像信号を直接送受信することによって、映像表示装置による映像の表示を中断させない。
【００１８】
本発明によれば、中継装置は、起動後に、電力供給が停止されたときに映像信号の転送を行っていたか否かを判定し、転送を行っていた場合、所定の第２信号を映像出力装置及び映像表示装置へ送出する。所定の第２信号を取得した映像出力装置及び映像表示装置は、中継装置を介した映像信号の送受を再開する。即ち、中継装置への電力供給が再開された場合、中継装置を介した映像信号の送受信も再開される。
【００１９】
本発明によれば、映像出力装置及び中継装置、中継装置及び映像表示装置、並びに、映像出力装置及び映像表示装置は、無線通信にて映像信号を送受信する。よって、システムを構成する各装置が持ち運び可能であり、配置場所の自由度が高まる。また近年では、無線通信機能を有する携帯端末及びモニタが普及しており、これらを用いてシステムを構成することが可能である。
【００２０】
本発明によれば、上述した中継装置及び映像表示装置を備えるテレビジョン受信機においても、中継装置への電力供給が停止された場合であっても、外部の映像出力装置（第１装置）から映像表示装置への映像信号の送受信が継続できる。よって、映像表示装置による映像の表示を継続できる。
また、映像表示装置を備えるテレビジョン受信機においても、中継装置への電力供給が停止されることによって中継装置から出力される所定信号に基づいて、映像信号を直接受信する処理に切り替えることによって、映像の表示が中断されない。
【発明の効果】
【００２１】
本発明では、映像出力装置から映像表示装置への映像信号の伝送を中継する中継装置への電力供給が停止された場合、映像出力装置から映像表示装置へ映像信号を直接伝送する通信が開始される。従って、停電等によって中継装置への電力供給が停止される場合であっても、映像出力装置から映像表示装置へ映像信号の伝送が可能である。よって、中継装置を介して映像出力装置から映像表示装置へ映像信号が伝送されているときに、停電等によって中継装置への電力供給が停止される場合であっても、映像出力装置から映像表示装置への映像信号の伝送が継続され、映像の表示が継続される。
【図面の簡単な説明】
【００２２】
【図１】本発明に係る映像表示システムの構成例を示す模式図である。
【図２】セットトップボックス、モニタ装置及び携帯端末装置の内部構成例を示すブロック図である。
【図３】電源供給部の構成例を示すブロック図である。
【図４】電力供給の停止時に各装置が行う処理の手順を示すフローチャートである。
【図５】電力供給の再開時に各装置が行う処理の手順を示すフローチャートである。
【発明を実施するための形態】
【００２３】
以下に、本発明に係る映像表示システム、中継装置及びテレビジョン受信機について、その実施形態を示す図面に基づいて詳述する。
【００２４】
図１は本発明に係る映像表示システムの構成例を示す模式図である。本実施形態の映像表示システムは、セットトップボックス（中継装置）１、モニタ装置（映像表示装置）２、携帯端末装置（映像出力装置）３等を備える。セットトップボックス１、モニタ装置２及び携帯端末装置３は、無線ＬＡＮ等の無線通信が可能であり、セットトップボックス１は、無線通信に利用されるアクセスポイントの機能を更に有する。
なお、セットトップボックス１はチューナを備えており、セットトップボックス１及びモニタ装置２で１つのテレビジョン受信機を構成する。モニタ装置２は、セットトップボックス１のチューナで受信したテレビジョン放送に基づく映像、携帯端末装置３から無線通信で受信した映像信号に基づく映像を表示する。
【００２５】
図２はセットトップボックス１、モニタ装置２及び携帯端末装置３の内部構成例を示すブロック図である。セットトップボックス１は、制御部１０、電源プラグ１１、電源供給部１２、無線通信部１３及び放送受信部１４等を備える。
制御部１０は、ＣＰＵ（Central Processing Unit ）又はＭＰＵ（Micro Processor Unit）、ＲＯＭ及びＲＡＭ等を含み、セットトップボックス１が備える各部の動作を制御する。具体的には、制御部１０のＣＰＵ又はＭＰＵが、ＲＯＭに予め格納されている制御プログラムをＲＡＭにロードして実行することにより、セットトップボックス１を、本発明に係る中継装置として動作させる。
【００２６】
無線通信部１３は、無線ＬＡＮ等の無線通信を行うためのインタフェースであり、無線通信が可能に構成された外部装置との間で無線通信を行う。本実施形態では、無線通信部１３は、モニタ装置２及び携帯端末装置３との間で無線通信を行う。また無線通信部１３は、無線通信の際に利用されるアクセスポイントの機能を有しており、無線通信が可能な機器間で行われる無線通信を中継する。具体的には、無線通信部１３は、外部の第１装置と第２装置との間の無線通信の際のアクセスポイントとして利用される場合、第１装置から送信されてきた信号を第２装置へ転送する。
なお、本実施形態のセットトップボックス１は、モニタ装置２及び携帯端末装置３等の外部装置と無線通信のみを行う構成であるが、外部装置と信号線を介して接続され、信号線を介した有線通信を行う構成でもよい。また、無線通信及び有線通信の両方を行う構成でもよい。
【００２７】
放送受信部（受信部）１４は、テレビジョン放送の放送信号を受信するチューナである。セットトップボックス１及びモニタ装置２を用いてテレビジョン放送を視聴する場合、セットトップボックス１の制御部１０は、放送受信部１４で受信されるテレビジョン放送の放送信号を無線通信部１３から無線通信でモニタ装置２へ出力する。そして、モニタ装置２が、セットトップボックス１から受信した放送信号に基づく映像を表示する。
【００２８】
電源供給部１２は、電源コンセントへの差し込みが可能な電源プラグ１１に接続されている。電源供給部１２は、電源プラグ１１を介して外部のＡＣ電源（電源コンセント）から供給される電力を、セットトップボックス１が備える各部に供給する。
本実施形態の電源供給部１２は、停電等によってセットトップボックス１への電力供給が停止された場合に、セットトップボックス１の各部が動作を停止する前に、電力供給の停止を検知する電源判定部１２ｄ（図３参照）を有する。
【００２９】
図３は電源供給部１２の構成例を示すブロック図である。電源供給部１２は、ＥＭＣフィルタ１２ａ、整流回路１２ｂ、コンバータ１２ｃ及び電源判定部１２ｄ等を有する。電源プラグ１１から電源供給部１２に入力された電力は、ＥＭＣフィルタ１２ａにてノイズを取り除かれる。その後、整流回路１２ｂにて整流処理され、コンバータ１２ｃにて交流電力から直流電力に変換され、セットトップボックス１の各部に供給すべき大きさの電力（メイン電源）が生成される。電源供給部１２は、生成した電力を、セットトップボックス１の各部に供給する。
【００３０】
電源判定部（検知部）１２ｄは、例えば、発光ダイオード及び受光素子（フォトトランジスタ）を有するフォトカプラを用いて、ＡＣ電源から電力が供給されているか否かを判定する。ＡＣ電源から電力が供給されている場合、整流回路１２ｂから出力された電力が発光ダイオードに入力され、発光ダイオードは、入力された電力に基づいて発光する。そして、受光素子が発光ダイオードの光を受光し、これにより受光素子に電流が流れ、電源判定部１２ｄは、ＡＣ電源から電力が供給されていることを示す判定結果（例えば判定信号「１」）を出力する。一方、ＡＣ電源からの電力供給が停止した場合、発光ダイオードに電力が入力されないので、発光ダイオードは発光せず、受光素子は受光しないので受光素子には電流が流れず、電源判定部１２ｄは、ＡＣ電源から電力が供給されていないことを示す判定結果（例えば判定信号「０」）を出力する。即ち、電源判定部１２ｄは、電源供給部１２が各部へ電力を供給する前段階で、ＡＣ電源から電力が供給されているか否かを判定でき、判定結果を制御部１０へ通知する。
【００３１】
モニタ装置２は、液晶ディスプレイ、プラズマディスプレイ又は有機ＥＬ（Electro Luminescence）ディスプレイ等である。モニタ装置２は、制御部２０、電源プラグ２１、電源供給部２２、無線通信部２４、デコード部２５及び表示部２６等を備える。
制御部２０は、ＣＰＵ又はＭＰＵ、ＲＯＭ及びＲＡＭ等を含み、モニタ装置２が備える各部の動作を制御する。具体的には、制御部２０のＣＰＵ又はＭＰＵが、ＲＯＭに予め格納されている制御プログラムをＲＡＭにロードして実行することにより、モニタ装置２を、本発明に係る映像表示装置として動作させる。
【００３２】
電源供給部２２は、電源コンセントへの差し込みが可能な電源プラグ２１に接続されている。電源供給部２２は、電源プラグ２１を介して外部のＡＣ電源（電源コンセント）から供給される電力を、モニタ装置２が備える各部に供給する。また電源供給部２２は、バッテリ２３を備え、バッテリ２３から供給される電力を、モニタ装置２が備える各部に供給する。電源供給部２２は、ＡＣ電源からの電力とバッテリ２３からの電力とを併用し、例えば電源プラグ２１が電源コンセントに接続されている場合には、ＡＣ電源からの電力を供給し、電源プラグ２１が電源コンセントに接続されていない場合には、バッテリ２３からの電力を供給する。なお、バッテリ２３の充電は、ＡＣ電源からの電力によって行われる。
本実施形態のモニタ装置２は、ＡＣ電源からの電力によってもバッテリ２３からの電力によっても動作できる構成であるが、モニタ装置２を、バッテリ２３からの電力のみによって動作するようにしてもよい。
【００３３】
無線通信部２４は、無線ＬＡＮ等の無線通信を行うためのインタフェースであり、無線通信が可能に構成された外部装置との間で無線通信を行う。また無線通信部２４は、アクセスポイントを介して通信するインフラストラクチャモード、及びアクセスポイントを介さずに他の機器と直接通信するアドホックモードでの動作が可能に構成されている。即ち、無線通信部２４は、無線通信可能に構成された外部装置との間で、アクセスポイントを介した通信を行うことができ、またアクセスポイントを介さずに直接通信することもできる。なお、無線通信部２４は、制御部２０からの指示に従って、アクセスポイントを介した通信を行うか、外部機器と直接通信を行うかを切り替える。
なお、本実施形態のモニタ装置２は、外部装置と無線通信のみを行う構成であるが、外部装置（例えばセットトップボックス１又は携帯端末装置３）と信号線を介して接続され、信号線を介した有線通信を行う構成でもよい。また、無線通信及び有線通信の両方を行う構成でもよい。
【００３４】
デコード部２５は、無線通信部２４を介して受信した映像信号をデコードして映像データを生成する。デコード部２５は、生成した映像データを表示部２６へ出力する。表示部２６は、液晶パネル、プラズマパネル又は有機ＥＬパネル等であり、デコード部２５から出力された映像データに基づいて映像を表示する。
本実施形態のモニタ装置２は、外部装置（セットトップボックス１又は携帯端末装置３等）から取得した映像信号に基づく映像を表示部２６にて表示する。更に、音声信号を音声データにデコードするデコード部及びスピーカをモニタ装置２に設け、外部装置から取得する音声信号に基づく音声をモニタ装置２から出力するようにしてもよい。また、外部装置と無線通信可能に構成されたスピーカを、モニタ装置２とは別に設けてもよい。
【００３５】
携帯端末装置３は、例えば携帯型のコンピュータ、携帯型のゲーム機、携帯電話、スマートフォン又はＰＤＡ（Personal Digital Assistant）等の携帯情報端末である。携帯端末装置３は、制御部３０、電源供給部３１、無線通信部３３及び記憶部３４等を備える。
制御部３０は、ＣＰＵ又はＭＰＵ、ＲＯＭ及びＲＡＭ等を含み、携帯端末装置３が備える各部の動作を制御する。具体的には、制御部３０のＣＰＵ又はＭＰＵが、ＲＯＭに予め格納されている制御プログラムをＲＡＭにロードして実行することにより、携帯端末装置３を、本発明に係る映像出力装置として動作させる。
【００３６】
電源供給部３１は、バッテリ３２を備え、バッテリ３２から供給される電力を、携帯端末装置３が備える各部に供給する。また、電源供給部３１は、電源コンセントへの差し込みが可能な電源プラグ（図示せず）との接続も可能であり、バッテリ３２の充電は、ＡＣ電源からの電力によって行われる。本実施形態の携帯端末装置３は、バッテリ３２からの電力のみによって動作する構成であるが、モニタ装置２と同様に、ＡＣ電源からの電力によってもバッテリ３２からの電力によっても動作できるようにしてもよい。
【００３７】
無線通信部３３は、モニタ装置２の無線通信部２４と同様の構成であり、インフラストラクチャモードでの無線通信、及びアドホックモードでの無線通信が可能である。また無線通信部３３は、制御部３０からの指示に従って、アクセスポイントを介した通信を行うか、外部機器と直接通信を行うかを切り替える。なお、本実施形態の携帯端末装置３も、外部装置と無線通信のみを行う構成であるが、外部装置（例えばセットトップボックス１又はモニタ装置２）と信号線を介して接続され、信号線を介した有線通信を行う構成でもよい。また、無線通信及び有線通信の両方を行う構成でもよい。
記憶部３４は、ＨＤＤ又はフラッシュメモリ等の記憶装置であり、制御部３０が実行する種々の制御プログラム及び各種データ等を記憶する。また、記憶部３４は、モニタ装置２で表示される映像信号、スピーカ（図示せず）で出力される音声信号等を記憶する。
【００３８】
本実施形態では、映像表示システムを構成する各装置間で無線ＬＡＮを介した無線通信を行う構成である。よって、各装置が持ち運び可能となり、各装置の配置場所の自由度が高まる。なお、各装置間で行われる無線通信は、無線ＬＡＮのように電波を用いた通信に限らず、赤外線及び可視光線等の光を用いた通信、音波又は超音波を用いた通信でもよい。
【００３９】
上述した構成の映像表示システムにおいて、携帯端末装置３に記憶してある映像信号をモニタ装置２で表示させる場合、セットトップボックス１にＡＣ電源からの電力が供給されていれば、携帯端末装置３はセットトップボックス１を介してモニタ装置２へ映像信号を送信する。即ち、携帯端末装置３及びモニタ装置２は、セットトップボックス１をアクセスポイントとして利用し、アクセスポイントを介した無線通信を行う。また、このような無線通信中に、停電等の発生によってセットトップボックス１へのＡＣ電源からの電力供給が停止した場合、携帯端末装置３はセットトップボックス１を介さずに直接モニタ装置２へ映像信号を送信する。即ち、携帯端末装置３及びモニタ装置２は、セットトップボックス１（アクセスポイント）を介した通信から、直接通信に切り替える。
【００４０】
以下に、携帯端末装置３がセットトップボックス１経由でモニタ装置２へ映像信号を送信しているときに、停電等の発生によってセットトップボックス１への電力供給が停止された場合に各装置が行う処理について説明する。図４は電力供給の停止時に各装置が行う処理の手順を示すフローチャートである。なお、図４において、左側の処理は携帯端末装置３による処理を、中央の処理はセットトップボックス１による処理を、右側の処理はモニタ装置２による処理をそれぞれ示す。
【００４１】
携帯端末装置３に記憶してある映像信号をモニタ装置２に表示させたいユーザは、携帯端末装置３、セットトップボックス１及びモニタ装置２の電源ボタン（図示せず）を操作して各装置を起動させる。そしてユーザは、携帯端末装置３の操作部（図示せず）を操作し、携帯端末装置３に対して、携帯端末装置３に記憶してある所定の映像信号をモニタ装置２に表示させる処理の実行を指示する。
動作を開始した携帯端末装置３の制御部３０は、ユーザが指示した映像信号を記憶部３４から読み出し、無線通信部３３を介して、セットトップボックス１（アクセスポイント）経由でモニタ装置２へ送信する。モニタ装置２は、セットトップボックス１経由で送信されてくる映像信号を、無線通信部２４にて受信し、受信した映像信号をデコード部２５でデコードした後、表示部２６で表示する。
【００４２】
携帯端末装置３及びモニタ装置２がセットトップボックス１を介して映像信号の送受信を行っているときに、セットトップボックス１の制御部１０は、電源供給部１２（電源判定部１２ｄ）から通知される判定結果に基づいて、セットトップボックス１への電力供給が停止されるか否かを判定する（Ｓ１）。電力供給が停止されないと判定した場合（Ｓ１：ＮＯ）、制御部１０は、無線通信部１３にてアクセスポイントとしての動作を継続し、携帯端末装置３から受信した映像信号をモニタ装置２へ転送する。
【００４３】
セットトップボックス１への電力供給が停止されると判定した場合（Ｓ１：ＹＥＳ）、制御部１０は、所定のステータス信号（第１信号）を、無線通信部（信号送出部）１３から携帯端末装置３及びモニタ装置２へ送信する（Ｓ２）。なお、ここでのステータス信号は、セットトップボックス１への電力供給の停止を示す信号であってもよく、セットトップボックス１への電力供給が停止することによってセットトップボックス１との通信が終了する旨を示す信号であってもよい。また、ステータス信号は、セットトップボックス１との通信終了後、通信相手の装置と直接通信を行う指示を示す情報及び相手装置の宛先情報を含む信号であってもよい。
セットトップボックス１は、制御部１０が電力供給の停止を検知してから、電源供給部１２が電力供給を停止するまでに、数十msec程度の出力電圧保持時間を有する。ステータス信号は、出力電圧保持時間内に送信できるように、例えばパケットの送信間隔を短くすることによって、通常の通信よりも短い時間で通信可能な規格に従って送信される。
【００４４】
セットトップボックス１の制御部１０は、ステータス信号の送信後、停電等によって電力供給が停止された場合に行う所定の終了処理を行い、処理を終了する。
携帯端末装置３の制御部３０は、無線通信部３３を介してセットトップボックス１から、電力供給が停止された場合のステータス信号を受信した場合、セットトップボックス１（図４ではＳＴＢと表記）との通信を終了する（Ｓ３）。同様に、モニタ装置２の制御部２０も、セットトップボックス１からステータス信号を受信した場合、セットトップボックス１との通信を終了する（Ｓ４）。なお、制御部３０，２０は、ステータス信号を受信したことを示す信号をセットトップボックス１へ送信し、通信を終了する。
【００４５】
セットトップボックス１との通信を終了した携帯端末装置３において、制御部３０は、無線通信部３３に対して、モニタ装置２と直接通信するアドホックモードで動作するように指示する。そして、制御部３０は、無線通信部３３を介して直接モニタ装置２に、直接接続（直接通信）を要求する（Ｓ５）。なお、携帯端末装置３は、セットトップボックス１を介して通信していたモニタ装置２の宛先情報を把握しているので、予め把握している宛先情報を用いてモニタ装置２に直接接続を要求できる。このほかに、セットトップボックス１から送信されてきたステータス信号に相手装置（モニタ装置２）の宛先情報が含まれている場合には、この宛先情報を用いてモニタ装置２に直接接続を要求してもよい。携帯端末装置３から直接接続を要求されたモニタ装置２において、制御部２０は、携帯端末装置３との直接接続が可能であるか否かを判断し（Ｓ６）、可能でない場合（Ｓ６：ＮＯ）、そのまま処理を終了する。
【００４６】
携帯端末装置３との直接接続が可能であると判断した場合（Ｓ６：ＹＥＳ）、制御部２０は、直接接続が可能である旨を示す情報を、無線通信部２４から携帯端末装置３へ直接送信し、応答する（Ｓ７）。
携帯端末装置３の制御部３０は、モニタ装置２に対して直接接続を要求した場合、モニタ装置２からの応答待ち状態となり、モニタ装置２からの応答があったか否かを判断する（Ｓ８）。直接接続を要求してから所定時間が経過してもモニタ装置２から応答がない場合（Ｓ８：ＮＯ）、制御部３０は、モニタ装置２とは直接接続できないと判断し、モニタ装置２と通信できない旨をユーザに通知し（Ｓ９）、処理を終了する。ユーザに通知する方法は、例えば、携帯端末装置３の表示部（図示せず）に「モニタ装置と通信できません」のようなメッセージを表示させる方法、携帯端末装置３の警告ランプ（図示せず）を点灯させる方法等がある。
【００４７】
モニタ装置２からの応答があった場合（Ｓ８：ＹＥＳ）、携帯端末装置３の制御部３０は、セットトップボックス１を介してモニタ装置２へ送信していた映像信号の続きを記憶部３４から読み出す。そして、制御部３０は、読み出した映像信号を無線通信部（出力部）３３からモニタ装置２へ直接送信する処理を開始する（Ｓ１０）。
モニタ装置２の制御部２０は、携帯端末装置３が送信した映像信号を無線通信部（取得部）２４にて直接受信し、無線通信部２４にて順次受信する映像信号のデコード部２５によるデコードを開始する（Ｓ１１）。そして、制御部２０は、デコード部２５にて順次生成される映像データに基づく映像の表示部２６による表示を開始する（Ｓ１２）。
【００４８】
上述したように、本実施形態では、携帯端末装置３がセットトップボックス１を介してモニタ装置２へ映像信号を送信しているときに、セットトップボックス１への電力供給が停止した場合、携帯端末装置３は、セットトップボックス１を介さずに直接モニタ装置２へ映像信号を送信する。これにより、携帯端末装置３に記憶してある映像信号をモニタ装置２で再生させているときに停電等が発生した場合であっても、携帯端末装置３からモニタ装置２への映像信号の伝送、及びモニタ装置２による映像の表示が継続できる。またこのとき、セットトップボックス１を介した通信から、セットトップボックス１を介さない直接通信への切り替えを、ユーザは意識することなくシームレスに実行できる。
【００４９】
以下に、上述したようにセットトップボックス１への電力供給が停止されることによって携帯端末装置３及びモニタ装置２が直接通信を行っているときに、セットトップボックス１への電力供給が再開された場合に各装置が行う処理について説明する。図５は電力供給の再開時に各装置が行う処理の手順を示すフローチャートである。なお、図５において、左側の処理は携帯端末装置３による処理を、中央の処理はセットトップボックス１による処理を、右側の処理はモニタ装置２による処理をそれぞれ示す。
【００５０】
ＡＣ電源からの電力供給が再開された場合、セットトップボックス１は起動する。起動したセットトップボックス１の制御部（判定部）１０は、電力供給が停止されたときに、携帯端末装置３及びモニタ装置２間の無線通信を中継する処理を行っていたか否かを判断する（Ｓ２１）。セットトップボックス１の制御部１０は、無線通信部１３をアクセスポイントとして動作させ、外部装置間の通信を中継する処理中に電力供給が停止した場合、動作を停止する前に、外部装置間の通信の中継中であったことを示す情報を記憶しておく。従って、制御部１０は、記憶した情報に基づいて、電力供給が停止されたときに、携帯端末装置３及びモニタ装置２間の無線通信を中継していたか否かを判断する。なお、外部装置間の通信の中継中であったことを示す情報は、不揮発性のメモリ（図示せず）に記憶させておく。
【００５１】
電力供給が停止されたときに、携帯端末装置３及びモニタ装置２間の無線通信を中継する処理を行っていなかったと判断した場合（Ｓ２１：ＮＯ）、制御部１０は、通常の動作を開始し、本処理を終了する。
電力供給が停止されたときに、携帯端末装置３及びモニタ装置２間の無線通信を中継する処理を行っていたと判断した場合（Ｓ２１：ＹＥＳ）、制御部１０は、所定のステータス信号（第２信号）を、無線通信部１３から携帯端末装置３及びモニタ装置２へ送信する（Ｓ２２）。なお、ここでのステータス信号は、セットトップボックス１への電力供給の再開を示す信号であってもよく、セットトップボックス１への電力供給が再開されたことによってセットトップボックス１との通信が可能である旨を示す信号であってもよい。また、ステータス信号は、中断されていたセットトップボックス１を介した通信の再開を指示する信号であってもよい。制御部１０は、外部装置間の通信の中継中であったことを示す情報と共に、通信中であった２つの外部装置の宛先情報も記憶している。従って、制御部１０は、記憶していた宛先情報を用いて、ステータス信号を携帯端末装置３及びモニタ装置２へ送信する。また制御部１０は、携帯端末装置３及びモニタ装置２の両方にステータス信号を送信せずに、どちらか一方に送信するようにしてもよい。セットトップボックス１の制御部１０は、ステータス信号の送信後、通常の動作を開始する。
【００５２】
携帯端末装置３の制御部３０は、無線通信部３３を介してセットトップボックス１から、電力供給が再開された場合のステータス信号を受信した場合、無線通信部３３を介して、直接接続中のモニタ装置２に、直接接続の終了を要求する（Ｓ２３）。なお、セットトップボックス１がモニタ装置２のみにステータス信号を送信する構成の場合、モニタ装置２が携帯端末装置３に直接接続の終了を要求する。
モニタ装置２の制御部２０は、携帯端末装置３からの直接接続の終了要求に対して了解を示す情報を、無線通信部２４から携帯端末装置３へ直接送信し、応答する（Ｓ２４）。モニタ装置２からの応答を受けた携帯端末装置３の制御部３０は、モニタ装置２との直接接続を終了し（Ｓ２５）、携帯端末装置３へ応答したモニタ装置２の制御部２０も、携帯端末装置３との直接接続を終了する（Ｓ２６）。
【００５３】
モニタ装置２との直接接続を終了した携帯端末装置３において、制御部３０は、無線通信部３３に対して、アクセスポイントを介して通信するインフラストラクチャモードで動作するように指示する。そして、制御部３０は、無線通信部３３を介してセットトップボックス１に、セットトップボックス１を介したモニタ装置２との通信を要求する（Ｓ２７）。携帯端末装置３から通信を要求されたセットトップボックス１の制御部１０は、無線通信部１３を介してモニタ装置２に、セットトップボックス１（アクセスポイント）を介した携帯端末装置３との通信を要求する（Ｓ２８）。
【００５４】
セットトップボックス１を介した携帯端末装置３との通信を要求されたモニタ装置２において、制御部２０は、了解を示す情報を、無線通信部２４からセットトップボックス１へ送信し、応答する（Ｓ２９）。モニタ装置２からの応答を受けたセットトップボックス１の制御部１０は、セットトップボックス１を介した通信が許可された旨を示す情報を、無線通信部１３から携帯端末装置３へ送信し、応答する（Ｓ３０）。
携帯端末装置３の制御部３０は、セットトップボックス１を介したモニタ装置２との通信を要求した場合、セットトップボックス１からの応答待ち状態となり、セットトップボックス１からの応答があったか否かを判断する（Ｓ３１）。通信を要求してから所定時間が経過してもセットトップボックス１から応答がない場合（Ｓ３１：ＮＯ）、制御部３０は、セットトップボックス１を介したモニタ装置２との通信ができないと判断し、モニタ装置２と通信できない旨をユーザに通知し（Ｓ３２）、処理を終了する。なお、セットトップボックス１を介したモニタ装置２との通信ができない場合、携帯端末装置３は、モニタ装置２との直接接続を再度試みてもよい。
【００５５】
セットトップボックス１からの応答があった場合（Ｓ３１：ＹＥＳ）、携帯端末装置３の制御部３０は、直接接続によってモニタ装置２へ直接送信していた映像信号の続きを記憶部３４から読み出す。そして、制御部３０は、読み出した映像信号を無線通信部３３からセットトップボックス１（アクセスポイント）へ送信する処理を開始する（Ｓ３３）。セットトップボックス１の制御部１０は、携帯端末装置３が送信した映像信号を無線通信部１３によって受信し、モニタ装置２へ転送する処理を開始する（Ｓ３４）。モニタ装置２の制御部２０は、セットトップボックス１によって転送された映像信号を無線通信部２４にて受信し、無線通信部２４にて順次受信する映像信号のデコード部２５によるデコードを開始する（Ｓ３５）。そして、制御部２０は、デコード部２５にて順次生成される映像データに基づく映像の表示部２６による表示を開始する（Ｓ３６）。
【００５６】
上述したように、本実施形態では、セットトップボックス１への電力供給が停止されたことによって携帯端末装置３がモニタ装置２へ直接映像信号を送信しているときに、セットトップボックス１への電力供給が再開した場合、携帯端末装置３は、セットトップボックス１を介してモニタ装置２へ映像信号を送信する処理に戻す。これにより、停電が復旧した場合に、セットトップボックス１を介した通信に戻すことができるので、セットトップボックス１を利用した通常処理が可能となる。またこのとき、直接通信から、セットトップボックス１を介した通信への切り替えをユーザが意識することなくシームレスに実行できる。
よって、携帯端末装置３及びモニタ装置２は、セットトップボックス１（アクセスポイント）から適宜送信されてくる信号の受信が可能となると共に、セットトップボックス１を介した他の機器との通信も可能となる。
【００５７】
上述の実施形態では、携帯端末装置３及びモニタ装置２は、バッテリ３２，２３からの電力によって動作できるので、停電等が発生した場合であっても動作可能であり、停電等によってセットトップボックス１を使用できない状況でも、携帯端末装置３に記憶してある映像信号のモニタ装置２での再生が可能である。
【００５８】
上述の実施形態では、セットトップボックス１を介して映像信号を送受信中の携帯端末装置３及びモニタ装置２が、セットトップボックス１から電力供給停止のステータス信号を受信した場合、携帯端末装置３が、モニタ装置２に対して直接接続を要求する構成であった。このような構成に限らず、電力供給停止のステータス信号を受信した場合、モニタ装置２が、携帯端末装置３に対して直接接続を要求する構成としてもよい。また、携帯端末装置３及びモニタ装置２の両装置がそれぞれ、通信相手装置（モニタ装置２及び携帯端末装置３）に対して直接接続を要求する構成としてもよい。
同様に、上述の実施形態では、直接通信にて映像信号を送受信中の携帯端末装置３及びモニタ装置２が、セットトップボックス１から電力供給再開のステータス信号を受信した場合、携帯端末装置３が、セットトップボックス１に対して、セットトップボックス１を介したモニタ装置２との通信を要求する構成であった。このような構成に限らず、電力供給再開のステータス信号を受信した場合、モニタ装置２が、セットトップボックス１に対して、セットトップボックス１を介した携帯端末装置３との通信を要求する構成としてもよい。また、携帯端末装置３及びモニタ装置２の両装置がそれぞれ、セットトップボックス１に対して、セットトップボックス１を介した通信相手装置（モニタ装置２及び携帯端末装置３）との通信を要求する構成としてもよい。
【００５９】
上述の実施形態では、セットトップボックス１及びモニタ装置２がテレビジョン受信機を構成する場合を例に説明した。このほかに、モニタ装置２にチューナ（受信部）を設けたテレビジョン受信機にも、本発明は適用できる。
【００６０】
以上、本発明の好適な実施形態について具体的に説明したが、各構成及び動作等は適宜変更可能であって、上述の実施形態に限定されることはない。
【符号の説明】
【００６１】
１  セットトップボックス（中継装置）
２  モニタ装置（映像表示装置）
３  携帯端末装置（映像出力装置）
１０  制御部（判定部）
１２  電源供給部
１２ｄ  電源判定部（検知部）
１３  無線通信部（信号送出部）
１４  放送受信部（受信部）
２２  電源供給部
２３  バッテリ
２４  無線通信部（取得部）
３１  電源供給部
３２  バッテリ
３３  無線通信部（出力部）
【図１】
2013198002.tif 000003
【図２】
2013198002.tif 000004
【図３】
2013198002.tif 000005
【図４】
2013198002.tif 000006
【図５】
2013198002.tif 000007